(57)【要約】  本発明により、  基準義歯を口腔内又は上下無歯顎模型が固定された咬合器に誘導するとともに、前記口腔内又は前記上下無歯顎模型が固定された咬合器における前記基準義歯の位置合わせを行う冶具であって、基準義歯を保持する基準義歯保持部を有する基準義歯用位置合せ冶具が提供される。【選択図】  図１
2018207867.tif 000002
【特許請求の範囲】
【請求項１】
基準義歯を口腔内又は上下無歯顎模型が固定された咬合器に誘導するとともに、前記口腔内又は前記上下無歯顎模型が固定された咬合器における前記基準義歯の位置合わせを行う冶具であって、基準義歯を保持する基準義歯保持部を有する事を特徴とする基準義歯用位置合せ冶具。
【請求項２】
前記基準義歯保持部に接合される柄部を有する請求項１に記載の基準義歯用位置合せ冶具。
【請求項３】
前記柄部が、前記基準義歯保持部に保持される前記基準義歯の中切歯の正中の位置を示す正中指標を有する請求項１又は２に記載の基準義歯用位置合せ冶具。
【請求項４】
前記正中指標が、前記基準義歯保持部に保持される前記基準義歯の咬合平面に対して垂直に設けられている正中指示用ピンである請求項３に記載の基準義歯用位置合せ冶具。
【請求項５】
前記正中指示用ピンの長さが３０〜６０ｍｍである請求項４に記載の基準義歯用位置合せ冶具。
【請求項６】
前記正中指示用ピンが、前記基準義歯保持部に保持される前記基準義歯の咬合平面と平行方向にスライド可能に取り付けられている請求項４又は５に記載の基準義歯用位置合せ冶具。
【請求項７】
前記正中指示用ピンが、前記正中指示用ピンの一端側又は両端側に、前記正中指示ピンと直交する方向に接合されたロッドを有する請求項４〜６のいずれか１項に記載の基準義歯用位置合せ冶具。
【請求項８】
前記ロッドが、前記基準義歯保持部に保持される前記基準義歯の咬合平面と平行方向にスライド可能に取り付けられている請求項７に記載の基準義歯用位置合せ冶具。
【請求項９】
前記基準義歯保持部に保持される前記基準義歯の咬合平面を示す平面指標を有する請求項１又は２記載の基準義歯用位置合せ冶具。
【請求項１０】
前記柄部が、前記基準義歯保持部に保持される前記基準義歯の咬合平面を示す平面指標を有する請求項２に記載の基準義歯用位置合せ冶具。
【請求項１１】
前記平面指標が、前記基準義歯保持部に保持される前記基準義歯の咬合平面と平行方向にスライド可能に取り付けられている請求項１０に記載の基準義歯用位置合せ冶具。
【請求項１２】
前記平面指標が、前記基準義歯保持部に保持される前記基準義歯の咬合平面に沿って回動可能に設けられている請求項１０に記載の基準義歯用位置合せ冶具。
【請求項１３】
請求項１〜１２のいずれか１項に記載の基準義歯用位置合せ冶具と、
基準義歯と、
からなる義歯作製キット。
【請求項１４】
請求項１〜１２のいずれか１項に記載の基準義歯用位置合せ冶具と、
基準義歯と、
裏装材と、
からなる義歯作製キット。
【請求項１５】
請求項１〜１２のいずれか１項に記載の基準義歯用位置合せ冶具に基準義歯を保持し、
前記基準義歯の内面側に裏装材を築盛し、
次いで、前記基準義歯に築盛された裏装材に形状を印記することを特徴とする義歯作製方法。
【請求項１６】
請求項７又は８に記載の基準義歯用位置合せ冶具に基準義歯を保持し、
前記基準義歯の内面側に裏装材を築盛し、
前記基準義歯用位置合せ冶具の前記ロッドの先端を、上下無歯顎模型における上顎前庭部最下点に当接させるとともに、前記基準義歯に築盛された裏装材に形状を印記することを特徴とする義歯作製方法。
【請求項１７】
請求項７又は８に記載の基準義歯用位置合せ冶具に基準義歯を保持し、
前記基準義歯の内面側に裏装材を築盛し、
前記基準義歯用位置合せ冶具の前記ロッドの先端を、上下無歯顎模型における下顎前庭部最下点に当接させるとともに、前記基準義歯に築盛された裏装材に形状を印記することを特徴とする義歯作製方法。
【請求項１８】
請求項１０〜１２の何れか１項に記載の基準義歯用位置合せ冶具に基準義歯を保持し、
前記基準義歯の内面側に裏装材を築盛し、
前記基準義歯用位置合せ冶具の前記平面指標と、上下無歯顎模型における仮想咬合平面と、を一致させるとともに、前記基準義歯に築盛された裏装材に形状を印記することを特徴とする義歯作製方法。
【発明の詳細な説明】
【技術分野】
【０００１】
本発明は、基準義歯用位置合せ冶具、義歯作製キット、及びこれらを用いる義歯作製方法に関する。詳しくは、基準義歯を患者の口腔内等の適切な位置に配置するために用いる基準義歯用位置合せ冶具、義歯作製キット、及びこれらを用いる義歯作製方法に関する。
【背景技術】
【０００２】
一般に、無歯顎者の口腔内の形状は、歯槽骨の大きさや骨の吸収量、粘膜の状態等が各個人で異なる。その為、良い義歯を作製するためには、各個人の模型から従来公知の手順を踏んで義歯を作製する必要があり、作製に時間を多くの時間を要する（オーダーメイド）。【０００３】
そこで、簡易に適合の良い義歯を作製する為に、サイズが規格化された基準義歯が提案されている（特許文献１）。規格化された基準義歯と、硬質裏装材等の裏装材とを用いる事で、石膏模型を用いる技工操作を経ずに、口腔内で裏装操作するだけで適合の良い義歯が短時間で得られる（基準義歯）。【０００４】
口腔内で基準義歯の裏装を行う場合、硬化前の裏装材（ペースト状）を基準義歯の床内面に盛り付け、口腔内又は上下無歯顎模型がマウントされた咬合器に挿入し、裏装材を流動させて粘膜形状を裏装材に印記する。この時、裏装材が硬化するまで適切な位置に維持する必要がある。しかしながら、基準義歯のみでは適切な位置に維持する事は難しく、位置ずれを起こす事があった。位置ずれを起こす事で、硬い物が咬めない、長期使用で顎関節が痛くなる等の問題を生じる場合があった。【０００５】
これを防ぐためには、上下基準義歯（上顎基準義歯及び下顎基準義歯）の咬み合わせを適切に維持しつつ、（１）上下位置（咬合平面、咬合高径）、（２）左右位置（正中）、（３）前後位置（顔貌）を合わせる必要がある。この位置合せには、多くの経験と知識が必要であった。
【先行技術文献】
【特許文献】
【０００６】
【特許文献１】特開２０１５−１６５８５０号公報
【発明の概要】
【発明が解決しようとする課題】
【０００７】
本発明の課題は、裏装材を築盛した既製の基準義歯を、患者の口腔内等の適切な位置に容易に配置することができる基準義歯用位置合せ冶具を提供することにある。また、この基準義歯用位置合せ冶具と、裏装材と、から成る義歯作製キットを提供することにある。さらには、この基準義歯用位置合せ冶具を用いる義歯の作製方法を提供することにある。
【課題を解決するための手段】
【０００８】
本発明者らは、前記課題を解決するために鋭意検討をおこなった結果、所定の構造を有する冶具（トレー）に基準義歯を保持することにより、上下基準義歯の咬み合わせを適切に維持しつつ、裏装材が硬化するまでの間、基準義歯を所定の位置に配置しておくことができることを見出した。さらには、所定の構造を有する冶具を用いることにより、基準義歯の配置位置をより適切なものとすることができることを見出し、本発明を完成するに至った。【０００９】
上記課題を解決する本発明は、以下に記載するとおりである。なお、本願明細書において、基準義歯とは、人工歯が予め配列されている既製の義歯であって、裏装材によって裏装されていない義歯をいう。一対の基準義歯とは、上顎基準義歯及び下顎基準義歯をいう。全歯列とは、左顎第二大臼歯から右顎第二大臼歯までの１４歯を含む歯列をいう。
また、本発明の基準義歯用位置合せ冶具は、患者（ヒト）の口腔内のみならず、上下無歯顎模型に対して用いることができる。本発明の基準義歯用位置合せ冶具を用いる義歯の作製方法は、上下無歯顎模型に適用することができ、患者（ヒト）に直接適用する場合は除かれる。なお、本願明細書においては、本発明の基準義歯用位置合せ冶具を用いる義歯の作製方法について、患者（ヒト）に直接適用する場合を含めて説明する。【００１０】
〔１〕  基準義歯を口腔内又は上下無歯顎模型が固定された咬合器に誘導するとともに、前記口腔内又は前記上下無歯顎模型が固定された咬合器における前記基準義歯の位置合わせを行う冶具であって、
基準義歯を保持する基準義歯保持部を有する事を特徴とする基準義歯用位置合せ冶具。【００１１】
この基準義歯用位置合せ冶具は、基準義歯保持部に一対の基準義歯が載置され、基準義歯保持部に一対の基準義歯が仮に固定される。これにより、上下基準義歯の咬み合わせを適切に維持しながら、位置合わせを行うことができる。【００１２】
〔２〕  前記基準義歯保持部に接合される柄部を有する〔１〕に記載の基準義歯用位置合せ冶具。【００１３】
この基準義歯保持部には柄部が接合されており、かかる柄部を介して基準義歯の位置合わせを行うことができる。【００１４】
〔３〕  前記基準義歯保持部又は前記柄部が、前記基準義歯保持部に保持される前記基準義歯の中切歯の正中の位置を示す正中指標を有する〔１〕又は〔２〕に記載の基準義歯用位置合せ冶具。【００１５】
この基準義歯用位置合せ冶具は、口腔外から視認できる位置合わせの指標として、中切歯の正中の位置を示す正中指標を有している。この正中指標を用いて基準義歯の位置合わせを行うことができる。【００１６】
〔４〕  前記正中指標が、前記基準義歯保持部に保持される前記基準義歯の咬合平面に対して垂直に設けられている正中指示用ピンである〔３〕に記載の基準義歯用位置合せ冶具。【００１７】
この基準義歯用位置合せ冶具は、口腔外から視認できる位置合わせの指標として、中切歯の正中の位置を示すとともに、基準義歯の咬合平面に対して垂直に設けられている正中指示用ピンを有している。この正中指示用ピンを用いて基準義歯の位置合わせを行うことができる。【００１８】
〔５〕  前記正中指示用ピンの長さが３０〜６０ｍｍである〔４〕に記載の基準義歯用位置合せ冶具。【００１９】
この基準義歯用位置合せ冶具は、長さが３０〜６０ｍｍである正中指示用ピンを有している。【００２０】
〔６〕  前記正中指示用ピンが、前記基準義歯保持部に保持される前記基準義歯の咬合平面と平行方向にスライド可能に取り付けられている〔４〕又は〔５〕に記載の基準義歯用位置合せ冶具。【００２１】
この基準義歯用位置合せ冶具は、正中指示用ピンが、前記基準義歯保持部に保持される前記基準義歯の咬合平面と平行方向であって柄部の長手方向と平行方向にスライド可能に取り付けられている。即ち、正中指示用ピンはスライドさせても、中切歯の正中の位置を引き続き指標している。【００２２】
〔７〕  前記正中指示用ピンが、前記正中指示用ピンの一端側又は両端側に、前記正中指示ピンと直交する方向に取り付けられるロッドを有する〔４〕〜〔６〕のいずれかに記載の基準義歯用位置合せ冶具。【００２３】
この基準義歯用位置合せ冶具は、正中指示用ピンの一端側又は両端側に、前記正中指示ピンと直交する方向に取り付けられるロッドを有する。このロッドの先端を、オトガイ唇溝や前額部等、又はそれに対応する咬合器の部材に当接させることで、基準義歯を配置する前後位置を決定できる。【００２４】
〔８〕  前記ロッドが、前記基準義歯保持部に保持される前記基準義歯の咬合平面と平行方向にスライド可能に取り付けられている〔７〕に記載の基準義歯用位置合せ冶具。【００２５】
この基準義歯用位置合せ冶具は、ロッドが基準義歯の咬合平面と平行方向にスライド可能に取り付けられているので、顔の大きさ等に応じて、基準義歯を配置する前後位置を調整できる。【００２６】
〔９〕  前記基準義歯保持部に保持される前記基準義歯の咬合平面を示す平面指標を有する〔１〕又は〔２〕に記載の基準義歯用位置合せ冶具。【００２７】
この基準義歯用位置合せ冶具は、口腔外から視認できる位置合わせの指標として、基準義歯の咬合平面を示す平面指標を有している。この平面指標を用いて基準義歯の位置合わせを行うことができる。【００２８】
〔１０〕  前記柄部が、前記基準義歯保持部に保持される前記基準義歯の咬合平面を示す平面指標を有する〔２〕に記載の基準義歯用位置合せ冶具。【００２９】
この基準義歯用位置合せ冶具は、柄部に平面指標を有している。【００３０】
〔１１〕  前記平面指標が、前記基準義歯保持部に保持される前記基準義歯の咬合平面と平行方向にスライド可能に取り付けられている〔１０〕に記載の基準義歯用位置合せ冶具。【００３１】
この基準義歯用位置合せ冶具は、平面指標が基準義歯の咬合平面と平行方向にスライド可能に取り付けられているので、顔の大きさ等に応じて、基準義歯を配置する前後位置を調整できる。【００３２】
〔１２〕  前記平面指標が、前記基準義歯保持部に保持される前記基準義歯の咬合平面に沿って回動可能に設けられている〔９〕又は〔１０〕に記載の基準義歯用位置合せ冶具。【００３３】
この基準義歯用位置合せ冶具は、例えば略Ｕ字乃至Ｖ字形状を有する平面指標が、基準義歯保持部に保持される前記基準義歯の咬合平面に沿って回動可能に設けられている。そのため、顔の大きさ等に応じて平面指標の幅を調整できる。【００３４】
〔１３〕  〔１〕〜〔１２〕のいずれかに記載の基準義歯用位置合せ冶具と、
基準義歯と、
からなる義歯作製キット。【００３５】
この義歯作製キットは、上記〔１〕〜〔１２〕のいずれかに記載の基準義歯用位置合せ冶具と、予め形状が定められた基準義歯と、からなり、基準義歯を口腔内に配置する際に用いられる。【００３６】
〔１４〕  〔１〕〜〔１２〕のいずれかに記載の基準義歯用位置合せ冶具と、
基準義歯と、
裏装材と、
からなる義歯作製キット。【００３７】
この義歯作製キットは、上記〔１〕〜〔１２〕のいずれかに記載の基準義歯用位置合せ冶具と、予め形状が定められた基準義歯と、裏装材と、からなる。
上記〔１〕〜〔１２〕のいずれかに記載の基準義歯用位置合せ冶具を用いて、基準義歯を口腔内に配置するとともに、基準義歯に築盛された裏装材に口腔内の粘膜形状等を印記することにより義歯を作製できる。【００３８】
〔１５〕  〔１〕〜〔１２〕のいずれかに記載の基準義歯用位置合せ冶具に基準義歯を保持し、
前記基準義歯の内面側に裏装材を築盛し、
次いで、前記基準義歯に築盛された裏装材に形状を印記することを特徴とする義歯作製方法。【００３９】
この義歯作製方法は、基準義歯の内面側に裏装材を築盛し、上記〔１〕〜〔１２〕のいずれかに記載の基準義歯用位置合せ冶具を用いて、基準義歯を口腔内に配置するとともに、基準義歯に築盛された裏装材に形状を印記する義歯の作製方法である。【００４０】
〔１６〕  〔７〕又は〔８〕に記載の基準義歯用位置合せ冶具に基準義歯を保持し、
前記基準義歯の内面側に裏装材を築盛し、
前記基準義歯用位置合せ冶具の前記ロッドの先端を、上下無歯顎模型における上顎前庭部最下点に当接させるとともに、前記基準義歯に築盛された裏装材に形状を印記することを特徴とする義歯作製方法。【００４１】
この義歯作製方法は、基準義歯用位置合せ冶具のロッドの先端を上下無歯顎模型における上顎前庭部最下点に当接させることにより、基準義歯の前後の位置関係をより簡便に調整する義歯の作製方法である。【００４２】
〔１７〕  〔７〕又は〔８〕に記載の基準義歯用位置合せ冶具に基準義歯を保持し、
前記基準義歯の内面側に裏装材を築盛し、
前記基準義歯用位置合せ冶具の前記ロッドの先端を、上下無歯顎模型における下顎前庭部最下点に当接させるとともに、前記基準義歯に築盛された裏装材に形状を印記することを特徴とする義歯作製方法。【００４３】
この義歯作製方法は、基準義歯用位置合せ冶具のロッドの先端を上下無歯顎模型における下顎前庭部最下点に当接させることにより、基準義歯の前後の位置関係をより簡便に調整する義歯の作製方法である。【００４４】
〔１８〕  〔９〕〜〔１２〕に記載の基準義歯用位置合せ冶具に基準義歯を保持し、
前記基準義歯の内面側に裏装材を築盛し、
前記基準義歯用位置合せ冶具の前記平面指標と、上下無歯顎模型における仮想咬合平面と、を一致させるとともに、前記基準義歯に築盛された裏装材に形状を印記することを特徴とする義歯作製方法。【００４５】
この義歯作製方法は、基準義歯用位置合せ冶具の平面指標を上下無歯顎模型における仮想咬合平面に合わせることにより、基準義歯の上下の位置関係をより簡便に調整する義歯の作製方法である。
【発明の効果】
【００４６】
本発明の基準義歯用位置合せ冶具、義歯作製キット、及び義歯作製方法は、患者の口腔内等の最適な位置に基準義歯を配置することができる。そのため、適合性が高い義歯を容易に作製することができる。これにより、歯科医師、歯科技工士及び患者の負担を大幅に低減することができる。
【図面の簡単な説明】
【００４７】
【図１】図１は、本発明の基準義歯用位置合せ冶具の構造の一例を示す図であり、（ａ）は平面図、（ｂ）は側面図、（ｃ）は正面図である。
【図２】図２は、本発明の基準義歯用位置合せ冶具の構造の一例を示す図であり、（ａ）は平面図、（ｂ）は側面図、（ｃ）は正面図である。
【図３】図３は、正中指標を有する本発明の基準義歯用位置合せ冶具の構造の一例を示す図であり、（ａ）は平面図、（ｂ）は側面図、（ｃ）は正面図である。
【図４】図４は、スライド可能に設けられた正中指示用ピンを有する本発明の基準義歯用位置合せ冶具の構造の一例を示す図であり、（ａ）は平面図、（ｂ）は側面図、（ｃ）は正面図である。
【図５】図５は、ロッドを有する本発明の基準義歯用位置合せ冶具の構造の一例を示す図であり、（ａ）は平面図、（ｂ）は側面図、（ｃ）は正面図である。
【図６】図６は、平面指標を有する本発明の基準義歯用位置合せ冶具の構造の一例を示す図であり、（ａ）は平面図、（ｂ）は側面図、（ｃ）は正面図である。
【図７】図７は、平面指標を有する本発明の基準義歯用位置合せ冶具の構造の他の例を示す図であり、（ａ）は平面図、（ｂ）は側面図、（ｃ）は正面図である。
【図８】図８は、本発明の基準義歯用位置合せ冶具の使用状態を示す側面図である。
【図９】図９（ａ）は、本発明の基準義歯用位置合せ冶具の使用状態を示す正面図であり、図９（ｂ）は側面図である。
【図１０】図１０（ａ）は、本発明の基準義歯用位置合せ冶具の使用状態を示す正面図であり、図１０（ｂ）は側面図である。
【図１１】図１１（ａ）は、本発明の基準義歯用位置合せ冶具の使用状態を示す正面図であり、図１１（ｂ）は側面図である。
【図１２】図１２は、スライド可能に設けられたロッドを有する本発明の基準義歯用位置合せ冶具の構造の一例を示す図であり、（ａ）は平面図、（ｂ）は側面図、（ｃ）は正面図である。
【発明を実施するための形態】
【００４８】
（基準義歯用位置合せ冶具）
以下、図面を参照しながら本発明を詳細に説明する。なお、以下の説明において、垂直、直交とは、角度９０度である場合のみならず、８０〜１００度の範囲を含むものとする。また、平行とは、完全な平行である場合のみならず、該完全な平行に対して−１０〜＋１０度の範囲を含むものとする。
【００４９】
図１は、本発明の基準義歯用位置合せ冶具の構造の一例を示す図であり、（ａ）は平面図、（ｂ）は側面図、（ｃ）は正面図である。なお、この基準義歯用位置合せ冶具において、底面図は平面図と実質的に同一であり、右側面図は左側面図と実質的に対称である。
【００５０】
図１中、１００は本発明の基準義歯用位置合せ冶具であり、１３は基準義歯保持部である。基準義歯保持部１３には、上顎義歯保持溝１５、及び下顎基準義歯保持溝１７が形成されている。図１（ｂ）及び図１（ｃ）中、線Ａ−Ｂは基準義歯の咬合面を表す。
【００５１】
基準義歯保持部１３は、口腔内等に挿入されるため、小さく形成されていることが好ましく、かつ十分な耐久性を有していることが好ましい。更には、適度な弾性により基準義歯を保持できる事が好ましい。以下の例示に限定されるものではないが、例えば、アクリル樹脂、ポリアミド、ポリウレタン、ポリエチレン、ポリプロピレン、シリコンゴム等を用いて構成することができる。
【００５２】
基準義歯用位置合せ冶具１００の基準義歯保持部１３に形成される上顎義歯保持溝１５、及び下顎基準義歯保持溝１７としては、後述の上顎基準義歯９１、及び下顎基準義歯９３を仮に固定できる構造であれば良い。例えば、基準義歯保持部１３を弾性材料で構成するとともに、該溝を基準義歯よりも僅かに小さく形成する構造が例示される。
【００５３】
この基準義歯用位置合せ冶具１００は、次のように使用される。この基準義歯用位置合せ冶具１０１の上顎義歯保持溝１５、及び下顎基準義歯保持溝１７には、所定の咬み合わせが維持された状態で上顎基準義歯９１、及び下顎基準義歯９３がそれぞれ嵌合されて保持される。これにより、所定の咬み合わせが維持された状態で、一対の基準義歯が基準義歯用位置合せ冶具１００に保持される。一対の基準義歯が保持された基準義歯用位置合せ冶具１００は、上顎基準義歯と下顎基準義歯とが所定の咬み合わせに維持された状態で、ヒトの口腔内、又は上下無歯顎模型が固定された咬合器内に挿入される。したがって、本発明の基準義歯用位置合せ冶具１００を用いることにより、上顎基準義歯と下顎基準義歯とが所定の咬み合わせに維持された状態で、口腔内等における位置を調整することができる。
【００５４】
柄部を有する基準義歯位置合せ冶具について以下に説明する。柄部は基準義歯保持部に接合されており、柄の形状は手で保持しやすい形状であればいかなる形状であってもよい。例えば、棒状や平板状、指の形にあった凹凸形状であってもよい。また平板状の場合は平面が基準義歯の咬合平面に対して、垂直でも平行でも斜めでもよい。後述する平面指標の機能を持たせる観点からは、基準義歯の咬合平面に対して平行である平板状が好ましい。
【００５５】
図２は、本発明の基準義歯用位置合せ冶具の構造の一例を示す図であり、（ａ）は平面図、（ｂ）は側面図、（ｃ）は正面図である。なお、この基準義歯用位置合せ冶具において、底面図は平面図と実質的に同一であり、右側面図は左側面図と実質的に対称である。
【００５６】
図２中、１０１は本発明の柄部を有する基準義歯用位置合せ冶具であり、１１は基準義歯保持部１３に接合された柄部である。
【００５７】
基準義歯用位置合せ冶具１０１の柄部１１は、一対の基準義歯をヒトの口腔外から操作できるように、ある程度の長さで構成される。柄部１１の長さは、通常、５０〜２００ｍｍであり、６０〜１８０ｍｍであることが好ましい。
【００５８】
基準義歯の上顎前歯切縁と、柄の上面又は下面の一部とは高さを合わせる事が好ましい。特に、基準義歯の上顎前歯切縁と、柄の下面の一部との高さを合わせる事が特に好ましい。このように設定する事で、審美性に影響する上顎前歯の上下位置を、柄の上面又は下面の位置によって確認して設定する事が出来る。
また、柄の厚みは、１〜３ｍｍが好ましく、２ｍｍである事が特に好ましい。このような範囲に柄の厚みを設定する事で、柄と上唇及び／又は下唇との位置関係により、前歯切縁位置を設定する事が出来る。
【００５９】
基準義歯保持部１３は、柄部１１に接合されているが、係る接合は、一体成形により達成されていても良いし、柄部１１と基準義歯保持部１３とが着脱自在に構成されていても良い。
【００６０】
この基準義歯用位置合せ冶具１０１は、次のように使用される。
図８は、本発明の基準義歯用位置合せ冶具の使用状態を示す図である。
この基準義歯用位置合せ冶具１０１の上顎義歯保持溝１５、及び下顎基準義歯保持溝１７には、所定の咬み合わせが維持された状態で上顎基準義歯９１、及び下顎基準義歯９３がそれぞれ嵌合されて保持される。これにより、所定の咬み合わせが維持された状態で、一対の基準義歯が基準義歯用位置合せ冶具１０１に保持される。この上顎基準義歯９１、及び下顎基準義歯９３が保持された基準義歯用位置合せ冶具１０１は、ヒトの口腔内、又は上下無歯顎模型が固定された咬合器内に挿入される。その後、柄部１１を外部から操作することによって、上顎基準義歯９１、及び下顎基準義歯９３の位置が調整される。
【００６１】
正中指標を有する基準義歯位置合せ冶具について以下に説明する。正中指標は基準義歯の正中を確認できる指標であればよく、位置合せ冶具のいかなる場所に配置されていてもよい。また、正中指標は、いかなる形状であってもよい。例えば、義歯保持部に配置されたピン、突起、溝や印刷等であっても良い。また、義歯保持部に接合された柄部にピン、突起、溝や印刷等を配置してもよい。正中指標がピンである場合、後述するように、ピンの長さによって基準義歯の上下位置の指標とすることもできる。なお、上下位置の指標としては、位置合せ冶具に別途ゲージを付与してもよいし、正中指標自体にゲージを付与してもよい。
図３は、正中指標を有する本発明の基準義歯用位置合せ冶具の構造の一例を示す図であり、（ａ）は平面図、（ｂ）は側面図、（ｃ）は正面図である。なお、この基準義歯用位置合せ冶具において、底面図は平面図と実質的に同一であり、右側面図は左側面図と実質的に対称である。図２と同じ構成については、同じ符号を付してその説明を省略する。
【００６２】
図３中、１０２は正中指標を有する本発明の基準義歯用位置合せ冶具であり、２１は柄部１１に接合された正中指標である。この正中指標２１は、柄部１１の上部及び下部の何れかに形成されていても良いし、図３（ｂ）に示すように、柄部１１の上部及び下部の両方に形成されていても良い。正中指標２１は、図３のように咬合平面に対して垂直に配設されたピンであっても良いし、突起や溝、印刷等であっても良い。基準義歯の位置調整を容易に行うためには、正中指標はピンであることが好ましく、その長さは３０〜６０ｍｍであることが好ましく、３５〜５５ｍｍであることがより好ましい。ピンは多段階ないし無段階に伸縮できるように構成されていても良い。この範囲の長さを有していることにより、義歯の傾きを容易に検出できる。また、特に咬合器を用いる場合には、咬合器の所定箇所とピンの一端部との相対的な位置を調整して、基準義歯の上下位置の指標とすることもできる。
【００６３】
このピン（正中指示用ピン）は、柄部１１において、基準義歯の咬合平面と平行方向にスライド可能に取り付けられていることが好ましい。
図４は、スライド可能に設けられた正中指示用ピンを有する本発明の基準義歯用位置合せ冶具の構造の一例を示す図であり、（ａ）は平面図、（ｂ）は側面図、（ｃ）は正面図である。図３と同じ構成については、同じ符号を付してその説明を省略する。
柄部１１にはスライド用溝３１が形成されており、正中指示用ピン２１はこの溝に沿って、図４（ｂ）中の符号Ｃの範囲でスライド可能に配設されている。図４中、符号３３はナットである。即ち、正中指示用ピン２１は、ナット３３を緩めることにより、溝３１に沿ってスライド可能となる。ナット３３を締めることにより、正中指示用ピン２１は所期の位置に固定される。
【００６４】
この基準義歯用位置合せ冶具１０２は、次のように使用される。
図９（ａ）は、本発明の基準義歯用位置合せ冶具の使用状態を示す正面図であり、図９（ｂ）は側面図である。
この基準義歯用位置合せ冶具１０２の上顎義歯保持溝１５、及び下顎基準義歯保持溝１７には、所定の咬み合わせが維持された状態で上顎基準義歯９１、及び下顎基準義歯９３がそれぞれ嵌合されて保持される。これにより、所定の咬み合わせが維持された状態で、一対の基準義歯が基準義歯用位置合せ冶具１０２に保持される。この際、各基準義歯の中切歯の正中の位置は、正中指標（正中指示用ピン）２１に一致するように嵌合される。
この上顎基準義歯９１、及び下顎基準義歯９３が保持された基準義歯用位置合せ冶具１０２は、ヒトの口腔内、又は上下無歯顎模型が固定された咬合器内に挿入される。その後、柄部１１を外部から操作することによって、上顎基準義歯９１、及び下顎基準義歯９３の位置が調整される。基準義歯用位置合せ冶具１０２は、正中指標２１を有しているので、患者の口腔外、又は咬合器外から、この正中指標２１を用いて位置合わせを容易に行うことができる。即ち、ヒトの顔の鼻頭と正中指標の一端と他端とが一直線上に存在するように調整すること等により、基準義歯の位置や左右の傾きを適切な位置に調整できる。また、正中指示用ピンは、口腔内又は咬合器内における基準義歯の奥行方向への位置を適切な位置に調整する指標にもなる。正中指示用ピンがスライド可能に設けられている場合、ヒトの顔や咬合器の大きさに応じて、正中指示用ピンの位置は適宜調整される。
【００６５】
口腔内又は咬合器上で基準義歯の前後位置を設定する為のロッドを有する基準義歯位置合せ冶具について、以下に説明する。ロッドは位置合せ冶具のいかなる場所に配置されていてもよい。また、ロッドは、いかなる形状であってもよい。基準義歯保持部、柄部、正中指標などいずれに配置されていてもよい。ロッドは顔面又は無歯顎模型が固定された咬合器の正中にあたる部分と接触させる事で正確に前後位置を設定できる事から、正中指標である正中指示ピンに配置される事が好ましい。ロッドは多段階ないし無段階に伸縮できるように構成されていても良い。
【００６６】
図５は、正中指示ピンと直交する方向に取り付けられるロッドを有する本発明の基準義歯用位置合せ冶具の構造の一例を示す図であり、（ａ）は平面図、（ｂ）は側面図、（ｃ）は正面図である。なお、この基準義歯用位置合せ冶具において、底面図は平面図と実質的に同一であり、右側面図は左側面図と実質的に対称である。図１〜４と同じ構成については、同じ符号を付してその説明を省略する。
【００６７】
図５中、１０４は本発明の基準義歯用位置合せ冶具であり、４１、４５はロッド、４３、４７はロッド４１の先端に接合された当接部である。ロッド４１は、柄部１１の上側（即ち、上顎側）に設けられた正中指示用ピン２１と直交する方向であって、柄部１１の長手方向と平行方向に取り付けられている。また、ロッド４５は、柄部１１の下側（即ち、下顎側）に設けられた正中指示用ピン２１と直交する方向であって、柄部１１の長手方向と平行方向に取り付けられている。
【００６８】
ロッド４１及び４５は、正中指示用ピンと一体となって成形されていても良い。また、正中指示用ピン２１は、柄部１１において、基準義歯の咬合平面と平行方向にスライド可能に取り付けられていることが好ましい。
当接部４３、４７はヒトの顔や咬合器の表面に当接させる部分であり、本発明において必須ではなく、ロッドの先端をヒトの顔や咬合器の表面に直接当接させても良い。また、当接部４３、４７は、ロッド４１、４５と一体となって成形されていても良い。
【００６９】
ロッド４１及び４５は、正中指標２１において、基準義歯の咬合平面と平行方向であって、柄部１１の長手方向と平行方向にスライド可能に取り付けられていることが好ましい。図１２は、スライド可能に設けられたロッドを有する本発明の基準義歯用位置合せ冶具の構造の一例を示す図であり、（ａ）は平面図、（ｂ）は側面図、（ｃ）は正面図である。ロッド４２及び４６は、基準義歯の咬合平面と平行方向であって、図１２（ｂ）中の符号Ｄの範囲でスライド可能に配設されている。
【００７０】
この基準義歯用位置合せ冶具１０４は、次のように使用される。
図１０（ａ）は、本発明の基準義歯用位置合せ冶具の使用状態を示す正面図であり、図１０（ｂ）は側面図である。
この基準義歯用位置合せ冶具１０４の上顎義歯保持溝１５、及び下顎基準義歯保持溝１７には、所定の咬み合わせが維持された状態で上顎基準義歯９１、及び下顎基準義歯９３がそれぞれ嵌合されて保持される。この際、各基準義歯の中切歯の正中の位置は、正中指標（正中指示用ピン）２１に一致するように嵌合される。これにより、所定の咬み合わせが維持された状態で、一対の基準義歯が基準義歯用位置合せ冶具１０４に保持される。
この上顎基準義歯９１、及び下顎基準義歯９３が保持された基準義歯用位置合せ冶具１０４は、ヒトの口腔内、又は上下無歯顎模型が固定された咬合器内に挿入される。その後、柄部１１を外部から操作することによって、上顎基準義歯９１、及び下顎基準義歯９３の位置が調整される。このとき、上顎側の当接部４３は、鼻下点又は咬合模型上の上顎前庭部最下点に当接させる。下顎側の当接部４７は、オトガイ隆起又は模型上の下顎前庭部最下点に当接させる。基準義歯用位置合せ冶具１０４は、ロッド４１、４５を有しているので、患者の顔の一部又は咬合器にロッドの先端を当接させることにより、口腔内又は咬合器内における基準義歯の奥行方向への位置を適切な位置に調整することが容易となる。
【００７１】
基準義歯の咬合平面を示す平面指標を有する基準義歯用位置合せ冶具について、以下に説明する。平面指標は咬合平面を示す要素を有していれば、いかなる形状であってもよく、基準義歯位置合せ冶具のいかなる場所に配置されていてもよい。例えば、咬合平面と平行に配置されたピン、ブレード、溝、印刷や複数の突起等が、義歯保持部、柄部や正中指標に配置されていても良い。また、義歯保持部に接合された柄そのものを平面指標に用いることもできる。視認性の観点から、平面指標は柄部に配置されたブレードが好ましい。また該ブレードは顔面に沿う形状が好ましい。平面指標である該ブレードは、ヒトの顔や無歯顎模型が固定された咬合器に対して視認しやすい位置に調整できるように構成されていることが好ましい。例えば、複数枚のブレードから成り、咬合平面と平行を維持したまま、ブレードの角度を変更する機構が挙げられる。また、ブレードが前後左右へのスライド機構を有していてもよい。
【００７２】
図６は、基準義歯の咬合平面を示す平面指標を有する本発明の基準義歯用位置合せ冶具の構造の一例を示す図であり、（ａ）は平面図、（ｂ）は側面図、（ｃ）は正面図である。図１〜５と同じ構成については、同じ符号を付してその説明を省略する。
【００７３】
図６中、１０５は本発明の基準義歯用位置合せ冶具であり、５１は基準義歯の咬合平面を示す平面指標である。この平面指標５１は、柄部に接合されたブレードであり、ヒトの顔又は咬合器の形状に沿うように、Ｕ字乃至Ｖ字状の形状を有している（図５においてはＵ字形状）。平面指標５１は、その形状を変更できるように構成されていても良い。
【００７４】
図７は、基準義歯の咬合平面を示す平面指標を有する本発明の基準義歯用位置合せ冶具の構造の他の例を示す図であり、（ａ）は平面図、（ｂ）は側面図、（ｃ）は正面図である。図１〜６と同じ構成については、同じ符号を付してその説明を省略する。
【００７５】
図７中、１０６は本発明の基準義歯用位置合せ冶具であり、６１、６３はブレードである。この２枚のブレード６１、６３は、基準義歯の咬合平面を示す平面指標である。このブレード６１、６３は、正中指示用ピンを支点として回動可能に構成されている。即ち、ヒトの顔の大きさや咬合器の大きさに応じて、ブレード６１、６３を回動させることにより、平面指標の形状を調整できるように構成されている。
【００７６】
この基準義歯用位置合せ冶具１０５は、次のように使用される。なお、基準義歯用位置合せ冶具１０６についても同様に使用される。
図１１（ａ）は、本発明の基準義歯用位置合せ冶具の使用状態を示す正面図であり、図１１（ｂ）は側面図である。
この基準義歯用位置合せ冶具１０５の上顎義歯保持溝１５、及び下顎基準義歯保持溝１７には、所定の咬み合わせが維持された状態で上顎基準義歯９１、及び下顎基準義歯９３がそれぞれ嵌合されて保持される。この際、各基準義歯の中切歯の正中の位置は、正中指標（正中指示用ピン）２１に一致するように嵌合される。これにより、所定の咬み合わせが維持された状態で、一対の基準義歯が基準義歯用位置合せ冶具１０５に保持される。
この上顎基準義歯９１、及び下顎基準義歯９３が保持された基準義歯用位置合せ冶具１０５は、ヒトの口腔内、又は上下無歯顎模型が固定された咬合器内に挿入される。その後、柄部１１を外部から操作することによって、上顎基準義歯９１、及び下顎基準義歯９３の位置が調整される。このとき、平面指標５１の前後左右における傾きを確認することにより、口腔内又は咬合器内における基準義歯の咬合面の位置を適切な位置に調整することが容易となる。また、咬合器内における場合は、平面指標５１と、上下無歯顎模型における仮想咬合平面と、を一致させることにより、基準義歯の咬合面の位置を適切な位置に調整することが容易となる。
【００７７】
（義歯作製キット）
本発明の部分床義歯作製キットは、前述の基準義歯用位置合せ冶具と、基準義歯と、からなり、裏装材を含んで構成されても良い。
【００７８】
基準義歯とは、予め形状が定められた既製の義歯であり、例えば特開2015-165850に記載の基準義歯を用いることができる。基準義歯は、所定形状を有しているため、裏装材を築盛するだけで容易に患者の口腔形状に適合させることができる。即ち、既製化された義歯を用いることによって、義歯の作製時間を短縮することができる。
【００７９】
裏装材としては、公知ものが何ら制限なく使用できる。例えば、ポリ（メタ）アクリレート系樹脂、並びにポリオレフィン系樹脂、ポリアミド系樹脂、ポリエステル系樹脂、ポリエーテル系樹脂、ポリニトリル系樹脂、ポリビニル系樹脂、セルロース系樹脂、フッ素系樹脂、イミド系樹脂、シリコン樹脂等が挙げられる。
【００８０】
（義歯作製キット）
上記の義歯作製キットを用いる義歯の作製方法としては、
先ず本発明の基準義歯用位置合せ冶具に所定の咬み合わせが維持された状態で基準義歯を保持し、
次いでこの基準義歯の内面側に裏装材を築盛し、
上記で説明したように、この基準義歯を保持した冶具をヒトの口腔内又は咬合器内に挿入して、基準義歯に築盛された裏装材に形状を印記する。これにより、ヒトの口腔内又は咬合器にセットされた模型の内面形状が裏装材に印記され、義歯が作製される。
【実施例】
【００８１】
（参考例１）
マネキン（ニッシムタイプＩＩ、ニッシン製）に上下無歯顎模型を取り付け、通法に従い、以下の設定位置で上下総義歯を作製した。【００８２】
（義歯の設定位置）
（１）前歯部左右：無歯顎模型の正中と、総義歯の左右中切歯の接触点を一致させる（上下顎とも）。
（２）臼歯部左右：無歯顎模型の正中と、総義歯の左右第一大臼歯中心窩を結ぶ線の中点を一致させる（上下顎とも）。
（３）前歯部上下：上顎総義歯の前歯部において、床縁から中切歯切縁までの距離を２２ｍｍ（ノギスで測定）とする。
（４）前歯部上下：下顎総義歯の前歯部において、床縁から中切歯切縁までの距離を２０ｍｍとする。
（５）前歯部上下：上下総義歯を咬合させた状態において、上顎前歯部床縁から下顎前歯部床縁までの距離を４０ｍｍとする（上下顎の中切歯が２ｍｍ垂直的に被蓋する）。
（６）臼歯部上下：鼻下点から耳珠点を結んだ平面（カンペル平面）と、下顎中切歯切縁と左右下顎第二大臼歯遠心頬側咬頭頂を連なる平面を平行とする。
※下顎に平板を載せ、カンペル平面との傾きの差を分度器で測定
（７）前後：上顎無歯顎模型の切歯乳頭中心点から上顎中切歯切縁までの距離を９ｍｍとする（写真を撮影し、投影図における距離を測定）。【００８３】
（実施例１）
１０名の被験者に、上下基準義歯と硬質裏装材（製品名：トクヤマリベースＩＩＩ）、及び位置合せ冶具を用いて総義歯を作製させた。得られた総義歯の位置（上記パラメータ）を測定した。各パラメータを参考例１で作製した総義歯と比較し、以下の基準で○×判定した。各パラメータにおいて○の人数を表１に示した。
用いた位置合せ冶具は、図２に記載する構造の物である。この基準義歯保持部に基準義歯をセットし、基準義歯内面に硬質裏装材を盛り付け、マネキンの口腔内に挿入し、裏装材に粘膜面形状を印記、硬化させることで義歯を作製させた。【００８４】
（実施例２）
位置合せ冶具として、図２に記載する構造の物の柄部に正中指示ラインが示されているものを用いた以外は実施例１と同様に義歯を作製させた。なお、作製の際には、正中指示ラインとマネキンの正中を合わせるように指示した。【００８５】
（実施例３）
位置合せ冶具として、図３に記載する構造の物を用いた以外は実施例１と同様に義歯を作製させた。正中指示用ピンの長さは４０ｍｍである（柄を中心に上下２０ｍｍずつ、計４０ｍｍ）。なお、作製の際には、正中指示用ピンの上端とマネキンの鼻下点とをあわせ、正中指示ピンの下端をマネキンのオトガイ隆起（水平的な最豊隆部）を合わせるように指示した。【００８６】
（実施例４）
実施例３の位置合せ冶具に、図６に記載する平面指標を追加した以外は実施例３と同様に義歯を作製させた。なお、作製の際には、平面指標を、マネキンの鼻下点と耳珠点を結ぶカンペル平面と平行とする事を指示した。【００８７】
（実施例５）
位置合せ冶具として、図６に記載する構造の物を用いた以外は実施例１と同様に義歯を作製させた。基準義歯を位置合せ冶具に取り付け、マネキンの口腔内に挿入させた。
マネキンの下唇と位置合せ冶具の基準義歯固定部とが軽く接触する位置で前後位置が固定されるよう、正中指示ピンをスライドさせ、ロッドがマネキンのオトガイ隆起と接触する位置で固定させた。その状態で口腔外に基準義歯と位置合せトレーを取り出した。その後は、実施例４と同様に義歯を作製させた。【００８８】
（比較例１）
位置合せ冶具を用いずに、１０名の被験者に、上下基準義歯と硬質裏装材（製品名：トクヤマリベースＩＩＩ）を用いて総義歯を作製させた。得られた総義歯の位置を実施例１と同様に測定した。【００８９】
参考例１で作製した総義歯との差が、
基準（１）前歯部左右：３．０ｍｍ以内を○、それ以上を×
基準（２）臼歯部左右：３．０ｍｍ以内を○、それ以上を×
基準（３）前歯部上下：±３．０ｍｍ以内を○、それ以上を×
基準（４）前歯部上下：±３．０ｍｍ以内を○、それ以上を×
基準（５）前歯部上下：±５．０ｍｍ以内を○、それ以上を×
基準（６）臼歯部上下：±５度以内を○、それ以上を×
基準（７）前後      ：±２．０ｍｍ以内を○、それ以上を×
とした。
また、基準（８）として、咬合器上の模型に取り付けられた上下総義歯の咬み合わせ位置が、参考例１で作製した総義歯と同じものを○、異なるものを×とした。【００９０】
【表１】
2018207867.tif 000003
【符号の説明】
【００９１】
１００、１０１、１０２、１０３、１０４、１０５、１０６、１０７・・・基準義歯用位置合せ冶具
１１・・・柄部
１３・・・基準義歯保持部
１５・・・上顎義歯保持溝
１７・・・下顎基準義歯保持溝
２１・・・正中指標
３１・・・スライド用溝
３３・・・ナット
４１、４２、４５、４６・・・ロッド
４３、４７・・・当接部
５１・・・平面指標
６１、６３・・・ブレード
９１・・・上顎基準義歯
９３・・・下顎基準義歯
【図１】
2018207867.tif 000004
【図２】
2018207867.tif 000005
【図３】
2018207867.tif 000006
【図４】
2018207867.tif 000007
【図５】
2018207867.tif 000008
【図６】
2018207867.tif 000009
【図７】
2018207867.tif 000010
【図８】
2018207867.tif 000011
【図９】
2018207867.tif 000012
【図１０】
2018207867.tif 000013
【図１１】
2018207867.tif 000014
【図１２】
2018207867.tif 000015
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
上顎基準義歯及び下顎基準義歯を口腔内又は上下無歯顎模型が固定された咬合器に誘導するとともに、前記口腔内又は前記上下無歯顎模型が固定された咬合器における前記上顎基準義歯及び前記下顎基準義歯の位置合わせを行うための基準義歯用位置合せ冶具であって、
前記基準義歯用位置合せ冶具は、上顎基準義歯保持溝及び下顎基準義歯保持溝を有する基準義歯保持部と、前記基準義歯保持部に接合される柄部とを有してなり、
前記上顎基準義歯保持溝及び前記下顎基準義歯保持溝は、前記上顎基準義歯及び前記下顎基準義歯の咬み合わせが維持された状態で保持できるように構成されており、
前記柄部は平板状であり、前記柄部の平面が前記義歯保持部に保持される前記上顎基準義歯及び下顎基準義歯の咬合面と平行であり、且つ、前記柄部の下面の高さと前記上顎基準義歯の上顎前歯切縁の高さとが一致している
事を特徴とする基準義歯用位置合せ冶具。
【請求項２】
前記柄部の柄の厚みが１〜３ｍｍである請求項１に記載の基準義歯用位置合せ冶具。
【請求項３】
前記柄部が、前記基準義歯保持部に保持される前記上顎基準義歯及び前記下顎基準義歯の中切歯の正中の位置を示す正中指標を有する請求項１又は２に記載の基準義歯用位置合せ冶具。
【請求項４】
前記正中指標が、前記基準義歯保持部に保持される前記上顎基準義歯及び前記下顎基準義歯の咬合平面に対して垂直に設けられている正中指示用ピンである請求項３に記載の基準義歯用位置合せ冶具。
【請求項５】
（削除）
【請求項６】
（削除）
【請求項７】
前記正中指示用ピンが、前記正中指示用ピンの一端側又は両端側に、前記正中指示ピンと直交する方向に接合されたロッドを有する請求項４に記載の基準義歯用位置合せ冶具。
【請求項８】
（削除）
【請求項９】
前記基準義歯保持部に保持される前記上顎基準義歯及び前記下顎基準義歯の咬合平面を示す平面指標を有する請求項１又は２記載の基準義歯用位置合せ冶具。
【請求項１０】
（削除）
【請求項１１】
（削除）
【請求項１２】
（削除）
【請求項１３】
請求項１〜４、７、及び９のいずれか１項に記載の基準義歯用位置合せ冶具と、
基準義歯と、
からなる義歯作製キット。
【請求項１４】
請求項１〜４、７、及び９のいずれか１項に記載の基準義歯用位置合せ冶具と、
基準義歯と、
裏装材と、
からなる義歯作製キット。
【請求項１５】
請求項１〜４、７、及び９のいずれか１項に記載の基準義歯用位置合せ冶具に基準義歯を保持し、
前記基準義歯の内面側に裏装材を築盛し、
次いで、前記基準義歯に築盛された裏装材に形状を印記することを特徴とする義歯作製方法。
【国際調査報告】
2018207867.tif 000016
2018207867.tif 000017
2018207867.tif 000018
2018207867.tif 000019